(57)【特許請求の範囲】
【請求項１】
綴じ部材を備えたベースを所定の表紙体に固定するための綴じ具の固定構造において、
前記ベースに固定されるとともに前記表紙体に形成された穴を貫通して配置される脚筒と、前記表紙体の外面側から挿通されて前記脚筒内に延び、且つ、当該脚筒に対して着脱自在に設けられた軸部材とを備え、
前記脚筒は前記穴を貫通する本体筒部と、この本体筒部の一端側に連設されて前記表紙体の外面側に添設するフランジ部と、このフランジ部と本体筒部とに亘って形成された変形代とを備え、
前記フランジ部を縮径させながら前記穴に挿通後前記軸部材を脚筒内に挿通したときに、前記本体筒部が径方向外側に拡開することで本体筒部が前記穴の内周面に圧接力を付与することを特徴とする綴じ具の固定構造。
【請求項２】
前記変形代は前記フランジ部から本体筒部部分に延びる切欠部により構成されていることを特徴とする請求項１記載の綴じ具の固定構造。
【請求項３】
前記切欠部は、略１８０度間隔を隔てた位置に対称形成されていることを特徴とする請求項２記載の綴じ具の固定構造。
【発明の詳細な説明】
【０００１】
【発明の属する技術分野】
本発明は綴じ具の固定構造に係り、更に詳しくは、表紙体に固定される綴じ具を容易に分離することのできる綴じ具の固定構造に関する。
【０００２】
【従来の技術】
従来より、背表紙若しくは裏表紙の内面側に綴じ具を備えてなるバインダー若しくはファイルが市販されている。このバインダーに用いられる綴じ具としては、例えば、ベースと、このベース上に配置された綴じ部材とを備えて構成されている。
【０００３】
前記ベースを背表紙に固定するに際しては、当該ベースと背表紙との同軸線位置に複数の穴を形成しておき、この穴を介してリベットで固定する、という構成が一般的に採用されている。
【０００４】
【発明が解決しようとする課題】
しかしながら、バインダーにおける表紙側は硬質紙又は樹脂シートにより形成される一方、綴じ具側は耐荷重性能を維持すべく金属製のものが多く用いられているため、廃棄する場合には、これらを分別することが要求される。ところが、リベット固定方式では、両者の分離が困難であり、分別されないまま共に廃棄されているのが実情である。
【０００５】
また、分別廃棄は、近時のゴミ処理問題若しくは自然環境を保護する観点から最近になって強く要請されているところであるが、抜本的には、ゴミを発生しないようにすることが一層好ましい。この点、バインダーに用いる綴じ具は、それ自体が使用不能になることは殆どなく、表紙側のみが老朽化して使用に堪えなくなるというのが一般的である。
【０００６】
【発明の目的】
本発明は、このような問題に着目して案出されたものであり、その目的は、綴じ具と表紙体とを容易に分離できるようにして分別廃棄を難なく行える一方、必要に応じて綴じ具の再利用を図ることのできる綴じ具の固定構造を提供することにある。
【０００７】
【課題を解決するための手段】
前記目的を達成するため、本発明は、綴じ部材を備えたベースを所定の表紙体に固定するための綴じ具の固定構造において、
前記ベースに固定されるとともに前記表紙体に形成された穴を貫通して配置される脚筒と、前記表紙体の外面側から挿通されて前記脚筒内に延び、且つ、当該脚筒に対して着脱自在に設けられた軸部材とを備え、
前記脚筒は前記穴を貫通する本体筒部と、この本体筒部の一端側に連設されて前記表紙体の外面側に添設するフランジ部と、このフランジ部と本体筒部とに亘って形成された変形代とを備え、
前記フランジ部を縮径させながら前記穴に挿通後前記軸部材を脚筒内に挿通したときに、前記本体筒部が径方向外側に拡開することで本体筒部が前記穴の内周面に圧接力を付与する、という構成を採っている。このような構成によれば、軸部材が脚筒に挿通されている状態を保っている限り、綴じ具の固定状態が安定したものとなる。この一方、軸部材を脚筒から抜き出すことで、綴じ具と表紙体とを難なく分離することができ、分別廃棄を容易とするのみならず、表紙体が老朽化して使用に耐えなくなった場合でも、新たな表紙体のみを交換することで綴じ具を廃棄することなく製品寿命が尽きるまで再利用することができる。
【０００８】
【発明の実施の形態】
本発明における変形代は、前記フランジ部から本体筒部部分に延びる切欠部により構成するとよい。これにより、軸部材を脚筒に挿通するだけで脚筒の本体筒部が径方向外側に容易に拡開変形するようになり、前述した圧接力を穴の内周に確実に及ぼすことができる。この際、切欠部は、略１８０度間隔を隔てた対称位置に形成することが好ましい。このようにすれば、前記拡開変形が無理なく本体筒部の外周全域に及ぶようになるため、つまり、部分的な変形を生じさせないことで脚筒の再利用が不可能となるような損壊も防止することができる。
【０００９】
【実施例】
以下、本発明の実施例を図面を参照しながら説明する。
【００１０】
図１には、本発明に係る綴じ具の固定構造がバインダーに適用された概略斜視図が示され、図２及び図３には、その要部側面図及び側断面図が示されている。これらの図において、バインダー１０は、表紙体１１と、この表紙体１１の内面側に位置する綴じ具１２と、この綴じ具１２を二箇所位置で表紙体１１に固定する固定具１３とにより構成されている。表紙体１１は、本実施例では綴じ具１２の固定面となる上下に細長い背表紙１５と、この背表紙１５の左右両側に連設された表表紙１６及び裏表紙１７とにより構成されている。ここで、背表紙１５の長手方向（上下方向）二箇所位置には、前記固定具１３を装着するための穴１５Ａ（図３参照）が設けられている。
【００１１】
前記綴じ具１２は、背表紙１５の上下方向に沿って延びるベース２０と、このベース２０に所定間隔毎に設けられた綴じ部材としての多数のリング２１と、ベース２０の長手方向両端部に設けられた操作片２２とを備えて構成されている。リング２１は、その上部中央で突き合された状態で閉ループを構成する従来タイプのものであり、前記操作片２２を外側に傾倒操作することによりリング２１の上部中央を開放して書類の加除整理が行えるようになっている。
【００１２】
前記ベース２０の長手方向二箇所位置には穴２５が設けられており、この穴２５位置に固定具１３が配置されている。固定具１３は、ベース２０に固定された脚筒２６と、前記背表紙１５の穴１５Ａを貫通して脚筒２６に挿通された軸部材２７とにより構成されている。
【００１３】
前記脚筒２６は、内周面に軸部材２７をねじ係合させるための雌ねじ部２９を有する中空の本体筒部３０と、この本体筒部３０の図２中上端側に設けられるとともに、前記ベース２０における穴２５の形成縁領域にかしめられる連結部３１と、本体筒部３０の下端から外側に連設されて背表紙１５の外面上に添設されるフランジ部３２とにより構成されている。また、脚筒２６は、図４に示されるように、フランジ部３２の１８０度相対位置から本体筒部３０の軸方向上方に向かう位置に亘って割りスリット状の変形代としての切欠部３３が形成されている。この切欠部３３は下部が上部よりスリット幅を大きくする形状とされ、これにより、図４中左右両側から挟み込むような摘み力を脚筒２６に加えたときに、フランジ部３２が縮径方向に大きく弾性変形できるようになり、脚筒２６をベース２０に予め固定した状態で綴じ具１２を装着する場合でも、フランジ部３２が背表紙１５の穴１５Ａを通り抜けて当該背表紙１５の外面側に添設する位置にセット可能となっている。なお、本体筒部３０の無負荷状態における外径は、前記穴１５Ａの内径と同程度となっており、軸部材２７を挿通したときに、本体筒部３０が径方向に拡開して穴１５Ａの内周面を強く圧接するように設定されている。
【００１４】
前記軸部材２７は、前記本体筒部３０内にねじ込み可能な雄ねじ部３４を外周面に備えた軸部本体３５と、この軸部本体３５の下端に連設されて脚筒２６のフランジ部３２上に添設可能なフランジ部３６と、軸部本体３５の下端略中央部を通ってフランジ部３６の径方向に延びる溝３７とにより構成されている。
【００１５】
次に、本実施例における綴じ具の着脱要領について説明する。ここでは、綴じ具１２のベース２０に脚筒２６が予め固定されているものとする。
【００１６】
先ず、綴じ具１２を固定する場合には、ベース２０にぶら下がった状態の脚筒２６を摘むとともに、前記切欠部３３のスリット幅を狭めるようにしてフランジ部３２を縮径させながら背表紙１５の穴１５Ａに内側から挿通する。そして、この挿通が終了したときに指を離すことにより、フランジ部３２が穴１５の形成縁領域に係合することとなる。この後、脚筒２６内に軸部材２７を挿通するとともに、当該軸部材２７を回転させて脚筒２６にねじ込むことで、切欠部３３のスリット幅が若干拡大するようになり、本体筒部３０の外周面が穴１５Ａの内周面を圧接する。これと同時に、脚筒２６のフランジ部３２が軸部材２７のフランジ部３６によって背表紙１５の外面に強く挟み込まれるようになり、これによって綴じ具１２の固定作業を完了することとなる。
【００１７】
この一方、綴じ具１２を取り外すときは、軸部材２７を前述とは反対方向に回転させて脚筒２６より抜き出し、前述した切欠部３３のスリット幅を狭めるように操作しつつ脚筒２６を穴１５Ａより引き抜けばよい。
【００１８】
従って、このような実施例によれば、綴じ具１２の着脱を極めて簡易且つ迅速に行うことができるという効果を得る。
【００１９】
なお、本発明は、図示、説明した綴じ具１２に限定されるものではなく、書類を綴じ込みできる構成を備えた種々の綴じ具を対象として適用することができる。また、脚筒２６と軸部材２７とからなる固定具１３も限定されるものではない。例えば、前記実施例では、脚筒２６と軸部材２７とがねじ構造により組み合わされる構成を採用したが、図５に示されるように、脚筒２６における本体筒部３０の外周部分を内側に陥没させて内周面にリブ（図示せず）が形成可能となる内周リブ形成凹部４０を形成する一方、軸部材２７側の軸部本体３５の外周面に、前記リブに係合可能となる凹部４１を設け、軸部材２７を脚筒２６内に挿入することによって内周リブ形成凹部４０と凹部４１とを相互に嵌合させる構成としてもよい。この際、軸部本体３５の上端面に中央凹部４２を設けられており、この中央凹部４２にドライバの先端等を当てがって叩くことにより、軸部材２６を脚筒２６から脱落させることが可能となっている。このような変形例によっても、実施的に前記実施例と同様の効果が得られる他、軸部材２７の着脱がより簡易且つ迅速に行えるという効果を付加することができる。
【００２０】
また、前記切欠部３３の形状は特に限定されるものではなく、本体筒部３０及びフランジ部３２の縮径と拡開変形が所定量期待できるものであればよく、更に、切欠部３３の形成数も任意に増加減少させることができる。
【００２１】
【発明の効果】
以上説明したように、本発明によれば、フランジ部と本体筒部とに亘って変形代を設け、軸部材を脚筒内に挿通したときに、本体筒部が径方向外側に拡開して当該本体筒部が背表紙の穴の内周面に圧接力を付与する構成としたから、軸部材が脚筒に挿通されている状態を保っている限り、綴じ具の固定状態を安定させることが可能となる。また、軸部材を脚筒から抜き出すことで、綴じ具と表紙体とを難なく分離することができ、分別廃棄も容易となる。
【００２２】
また、前記変形代が、フランジ部から本体筒部部分に延びる切欠部により構成されているため、フランジ部と本体筒部の縮径及び拡開変形量が大きく確保できるようになり、前述した圧接力を穴の内周に確実に及ばすことができる。特に、切欠部を略１８０度間隔を隔てた位置に対称的に形成した場合には、前記拡開変形が無理なく本体筒部の外周全域に及ぶようになり、部分的に偏った変形を生じさせることなく脚筒の損壊も防止することが可能となる。
【図面の簡単な説明】
【図１】綴じ具の固定構造が適用されたバインダーの概略展開斜視図。
【図２】前記固定構造を示す要部側面図。
【図３】前記固定構造を示す要部側断面図。
【図４】脚筒と軸部材との分解斜視図。
【図５】脚筒と軸部材の変形例を示す分解斜視図。
【符号の説明】
１１  表紙体
１２  綴じ具
１５Ａ  穴
２０  ベース
２１  リング(綴じ部材)
２６  脚筒
２７  軸部材
３０  本体筒部
３２  フランジ部
３３  切欠部(変形代)
３６  フランジ部
【図１】
0003805151.tif 000002
【図２】
0003805151.tif 000003
【図３】
0003805151.tif 000004
【図４】
0003805151.tif 000005
【図５】
0003805151.tif 000006